(57)【特許請求の範囲】
【請求項１】
仕切り壁（１９）によって、内部が貯水槽（１）と発電設備槽（２）の二槽に仕切られた円筒槽を地下深く建設し、貯水槽（１）外壁最上部に、先端に注水バルブ（１８）を取り付けた注水管（１７）を外壁貫通接続し、発電設備槽（２）内仕切り壁（１９）上部に、取水バルブ（１１）を取り付けた取水管（５）を貫通接続する。
取水管（５）から垂直に、発電設備槽（２）底床面に設置した高圧ポンプ（１０）の取水口に放流管（６）を接続し、高圧ポンプ（１０）の放水口に放水管（７）を接続、仕切り壁（１９）を貫通して貯水槽（１）へ配管し、放水出口には、逆流防止弁（１３）を取り付ける。
取水管（５）から高圧ポンプ（１０）迄の間の放流管（６）に、等間隔に５基のタービン（８）を接続し、それぞれのタービン（８）に発電機（９）を連結する。
これら一連の発電設備を発電設備槽（２）内仕切り壁（１９）に沿って、等間隔に４連設置した、
地下水力発電装置。
【発明の詳細な説明】
【技術分野】本発明は、環境負荷の少ないクリーンで安全で低コストな発電を実施する為に、貯水槽と発電設備槽からなる巨大円筒槽を地下深く建設し、貯水槽に貯えられた水を落下させてタービンを回転させ発電をする、地下水力発電装置に関するものである。
【背景技術】従来、水力発電は、山間地にダムを建設し、川の水をせき止めて、その落差を利用してタービンを回転させ発電をしている。
【発明が解決しょうとする課題】
これは、次のような欠点があった。
○川の水をせき止めてダムを建設するので、水量が自然任せである。
○大規模なダム建設工事を要する為環境負荷が極めて大きい。
○完成迄に数十年の年月を要する。
○長い年月と供に、ダムの底に土砂が蓄積し、ダムの容積がしだいに小さくなっていく。
○建設場所が山間地なので、発電場所から消費地迄の距離が長く、その為送電ロスが大きい。
したがい、環境負荷が少なく、クリーンで安全で低コストで、安定した発電方法が求められる。
本発明は、これらの課題を解決する為に、なされたものである。
【課題を解決する為の手段】
仕切り壁（１９）によって、内部が貯水槽（１）と発電設備槽（２）の二槽に仕切られた巨大円筒槽を地下深く建設し、貯水槽（１）には、先端に注水バルブ（１８）を取り付けた注水管（１７）を外壁上部に貫通接続し、水を注入貯水する。
発電設備槽（２）には、取水バルブ（１１）を取り付けた取水管（５）を仕切り壁（１９）上部に貫通接続し、貯水槽（１）内の水を取り込み、放流管（６）内を落下させ、その水圧で放流管（６）に接続されているタービン（８）を回転させ、連結している発電機（９）により発電を行ない、高圧ポンプ（１０）で水を貯水槽（１）へ放出する。
本発明は、以上の構成からなる地下水力発電装置である。
【発明の効果】
○水を循環利用する為、安定した水量、水圧が得られ、電力を安定供給出来る。
○発電コストが極めて低い。
○ＣＯ２を排出せず、クリーンで安全で環境負荷が少ない。
○水力発電でありながら気象状況に左右される事がない。
○発電の為の設備は全て地下に建設するので、地上に広大な土地を必要としない。
○市街地にも建設出来るので、電力消費地と近くなる為、送電ロスが少ない。
○地上における騒音問題が発生しない。
○大容量発電が出来る。
○原子力発電、火力発電が不要になる。
【発明を実施する為の最良の形態】
○円筒槽外径を１００ｍ、長さ（深さ）を２０００ｍ、放流管直径を６ｍに設定する。（想定数値）
○大型エレベーター（１５）を設置する。
○貯水槽（１）には、注水管（１７）により、想定の水位（４）迄水を注入し、達した時点で注水バルブ（１８）を閉める。
○一度注入された水は、循環させて使用されるが、自然蒸発などで水量が減った場合は、そのつど注水補充する。
○貯水槽（１）に注水する水は、最寄りの川から取り込む。
○規定の水位（４）より４００ｍ下の発電設備槽（２）内仕切り壁（１９）に、取水管（５）を貫通接続し、取水バルブ（１１）を取り付け、放流管（６）を垂直に接続し、３００ｍ下部に第１タービン（８）を設置、そこから同様に第２、第３、第４、第５タービン（８）を設置し、底床面に設置してある高圧ポンプ（１０）の取水口に、放流管（６）を接続する。
○高圧ポンプ（１０）放水口には、放水管（７）を接続、仕切り壁（１９）を貫通して貯水槽（１）へ配管し、出口には逆流防止弁（１３）を取り付ける。
○高圧ポンプ（１０）の放水圧力は、貯水槽（１）底の水圧よりも高圧である。
○１本の放流管（６）に接続されている５基のタービン（８）には、それぞれに発電機（９）を連結する。
○これら一連の発電設備を発電設備槽（２）内仕切り壁（１９）に沿って、等間隔に４連設置する。
○したがい本発明装置の発電機（９）の総数は、２０基である。
○本発明装置による総発電量は、２０基の発電機（９）の合計になる。
○本発明装置による外部への供給可能電力は、総発電量から、高圧ポンプ（１０）などの発電の為に必要な電力を差し引いた電力になる。
○発電設備槽（２）内に大型バッテリー（１４）を複数設置し、高圧ポンプ（１０）などの発電の為の電力源として利用するが、これらは、いずれも発電機（９）がフル回転した時点で自動的に発電された電力の一部で賄われ、バッテリー（１４）も充電される。
○したがい、高圧ポンプ（１０）の電力源として、バッテリー（１４）が利用されるのは、始動時だけである。
○放流管（６）最下部を二股に分岐し、高圧ポンプ（１０）へ接続、２基の高圧ポンプ（１０）で水を貯水槽（１）へ放出する。
○したがい高圧ポンプ総数は８基となる。
【使用方法】
○稼働する時は、取水バルブ（１１）を開け、高圧ポンプ（１０）のスイッチを入れる。
○停止する時は、取水バルブ（１１）を閉め、高圧ポンプ（１０）のスイッチを切る。
以上が本発明の実施要領である。
【図面の簡単な説明】
【図１】正面断面図
【図２】発電設備槽左側面断面図
【図３】上部平面断面図
【図４】実施要領斜視図
【符号の説明】１  貯水槽                      １１  取水バルブ
２  発電設備槽                  １２  フィルター
３  水の流れ                    １３  逆流防止弁
４  水位                        １４  バッテリー
５  取水管                      １５  大型エレベーター
６  放流管                      １６  エレベーター塔屋
７  放水管                      １７  注水管
８  タービン                    １８  注水バルブ
９  発電機                      １９  仕切り壁
１０  高圧ポンプ
【要約】
【課題】東日本大震災により原子力発電の是非を初めとして、エネルギー問題がクローズアップされている昨今、クリーンで安全で低コストな発電を実施する為に発電所を地下に建設し、上部から水を放流し、タービンを回転させ発電をする、地下水力発電装置を提供する。
【解決手段】貯水槽（１）と発電設備槽（２）からなる巨大円筒槽を地下深く建設し、発電設備槽（２）にタービン（８）、発電機（９）、高圧ポンプ（１０）を設置、上部から貯水槽（１）内の水を放流落下させ、その水圧でタービン（８）を回転させ発電機（９）を回し発電、高圧ポンプ（１０）で水を貯水槽（１）へ放出する。
【選択図】図１【図１】
0005513672.tif 000002
【図２】
0005513672.tif 000003
【図３】
0005513672.tif 000004
【図４】
0005513672.tif 000005